(57)【要約】  小火器用照準器が本明細書に記載されている。小火器用照準器は、本体アセンブリと、本体アセンブリに動作可能に取り付けられた第１プレートアセンブリと、第１プレートアセンブリと反対側に、本体アセンブリに動作可能に取り付けられた第２プレートアセンブリと、を含み得る。照準アセンブリが、第１プレートアセンブリと第２プレートアセンブリとの間の本体アセンブリに動作可能に取り付けられ得る。さらに、展開機構が、第１プレートアセンブリ、第２プレートアセンブリ、および照準アセンブリを、閉位置から開位置まで展開するように動作可能であり得る。【選択図】図１
2016502642.tif 000002
【特許請求の範囲】
【請求項１】
小火器用照準器であって、
本体アセンブリと、
前記本体アセンブリに動作可能に取り付けられた第１プレートアセンブリと、
前記第１プレートアセンブリと反対側に、前記本体アセンブリに動作可能に取り付けられた第２プレートアセンブリと、
前記第１プレートアセンブリと前記第２プレートアセンブリとの間の前記本体アセンブリに動作可能に取り付けられた照準アセンブリと、
前記第１プレートアセンブリ、前記第２プレートアセンブリ、および前記照準アセンブリを、閉位置から開位置まで展開するように動作可能な展開機構と、を備える、
小火器用照準器。
【請求項２】
前記本体アセンブリに動作可能に取り付けられ、かつ前記閉位置で前記第１プレートアセンブリ、前記第２プレートアセンブリ、および前記照準アセンブリを維持するように構成されたラッチアセンブリをさらに備える、請求項１に記載の小火器用照準器。
【請求項３】
前記ラッチアセンブリの操作が、前記展開機構と協働して、前記第１プレートアセンブリ、前記第２プレートアセンブリ、および前記照準アセンブリを前記開位置まで展開する、請求項２に記載の小火器用照準器。
【請求項４】
前記本体アセンブリを小火器に装着するように構成された少なくとも１つの装着ブラケットアセンブリをさらに備える、請求項１に記載の小火器用照準器。
【請求項５】
前記本体アセンブリは、照準表示を前記照準アセンブリ上に表示するように構成された光源を備える、請求項１に記載の小火器用照準器。
【請求項６】
前記照準表示は、前記照準アセンブリに関して調整可能である、請求項５に記載の小火器用照準器。
【請求項７】
前記照準アセンブリは、
照準アセンブリフレームと、
前記照準アセンブリフレームに関して位置決めされた反射レンズと、
前記反射レンズ上に表示された照準表示と、を備える、
請求項１に記載の小火器用照準器。
【請求項８】
前記第１プレートアセンブリ、前記第２プレートアセンブリ、および前記照準アセンブリは、前記閉位置で実質的に水平な方向を含む、請求項１に記載の小火器用照準器。
【請求項９】
前記第１プレートアセンブリおよび前記第２プレートアセンブリは、前記開位置で前記照準アセンブリに対して少なくとも部分的に折り畳まれる、請求項８に記載の小火器用照準器。
【請求項１０】
前記第１プレートアセンブリおよび前記第２プレートアセンブリは、前記開位置で互いに対して少なくとも部分的に折り畳まれる、請求項９に記載の小火器用照準器。
【請求項１１】
前記第１プレートアセンブリ、前記第２プレートアセンブリ、および前記照準アセンブリは、前記開位置で実質的に垂直な方向を含む、請求項１に記載の小火器用照準器。
【請求項１２】
小火器用照準器であって、
小火器に取り付け可能な本体アセンブリと、
前記本体アセンブリに回転可能に連結された第１プレートアセンブリと、
前記第１プレートアセンブリの反対側に、前記本体アセンブリに回転可能に連結された第２プレートアセンブリと、
前記第１プレートアセンブリと前記第２プレートアセンブリとの間の前記本体アセンブリに回転可能に連結された照準アセンブリと、
前記第１プレートアセンブリ、前記第２プレートアセンブリ、および前記照準アセンブリを、閉位置から開位置まで展開するように動作可能な展開機構と、
前記本体アセンブリに動作可能に取り付けられ、かつ前記閉位置で前記第１プレートアセンブリ、前記第２プレートアセンブリ、および前記照準アセンブリを維持するように構成されたラッチアセンブリと、を備え、
前記ラッチアセンブリの操作は、前記展開機構と協働して、前記第１プレートアセンブリ、前記第２プレートアセンブリ、および前記照準アセンブリを前記開位置まで展開する、
小火器用照準器。
【請求項１３】
前記本体アセンブリを前記小火器に装着するように構成された少なくとも１つの装着ブラケットアセンブリをさらに備える、請求項１２に記載の小火器用照準器。
【請求項１４】
前記本体アセンブリは、調整式照準表示を前記照準アセンブリ上に表示するように構成された光源を備える、請求項１２に記載の小火器用照準器。
【請求項１５】
前記照準アセンブリは、
照準アセンブリフレームと、
前記照準アセンブリフレームに関して位置決めされた反射レンズと、
前記反射レンズ上に表示可能な調整式照準表示と、を備える、
請求項１２に記載の小火器用照準器。
【請求項１６】
前記第１プレートアセンブリ、前記第２プレートアセンブリ、および前記照準アセンブリは、前記閉位置で実質的に水平な方向を含む、請求項１２に記載の小火器用照準器。
【請求項１７】
前記第１プレートアセンブリおよび前記第２プレートアセンブリは、前記開位置で前記照準アセンブリに対して少なくとも部分的に折り畳まれる、請求項１６に記載の小火器用照準器。
【請求項１８】
前記第１プレートアセンブリおよび前記第２プレートアセンブリは、前記開位置で互いに対して少なくとも部分的に折り畳まれる、請求項１７に記載の小火器用照準器。
【請求項１９】
前記第１プレートアセンブリ、前記第２プレートアセンブリ、および前記照準アセンブリは、前記開位置で実質的に垂直な方向を含む、請求項１２に記載の小火器用照準器。
【請求項２０】
小火器用照準器を提供する方法であって、
本体アセンブリを提供することと、
第１プレートアセンブリを前記本体アセンブリに取り付けることと、
前記第１プレートアセンブリの反対側に、第２プレートアセンブリを前記本体アセンブリに取り付けることと、
前記第１プレートアセンブリと前記第２プレートアセンブリとの間の照準アセンブリを前記本体アセンブリに取り付けることと、
展開機構を前記本体アセンブリに取り付けることと、を含み、
前記展開機構は、前記第１プレートアセンブリ、前記第２プレートアセンブリ、および前記照準アセンブリを、閉位置から開位置まで展開するように構成される、方法。
【発明の詳細な説明】
【技術分野】
【０００１】
[関連出願の相互参照]
[0001]  本出願は、２０１２年１２月５日に出願された米国特許仮出願第６１／７３３，６８７号および第６１／７３３，６８８号の優先権および利益を主張し、それらの両方とも、参照により全体が本明細書に組み込まれる。
【０００２】
[0002]  本開示は、概して小火器付属品に関し、特に、小火器用照準器を提供するためのシステム、方法、および装置に関する。
【背景技術】
【０００３】
[0003]  反射型小火器用照準器などの従来の小火器用照準器が、照準を容易にし、また、射撃精度を改善するために、小火器とともに使用されてきた。例えば、高い視認性を有する小火器用照準器は、小火器を照準する有効性を助長または向上させることができる、と一般に認識されている。場合によっては、白色ペイントまたは発光ファイバを利用する小火器用照準器は、従来の金属製照準器と比較して、周囲の照明条件下で、より高い視認性を有することが可能である。トリチウムを含む小火器用照準器は、暗やみの中でより高い視認性を有することがあるが、周辺光のもとでは、従来の小火器用照準器と比較してより高い視認性を有することができない。比較すると、反射ドット小火器用照準器が、すべての種類の照明条件下でより高い視認性を有することが可能である。しかしながら、多くの場合、従来の反射ドット小火器用照準器は、反射レンズが存在することにより、比較的嵩張る可能性がある。結果として、従来の反射ドット小火器用照準器の大きさおよび形状は、限定的なものとなる場合があり、小火器の展開および／または照準に悪影響を及ぼすおそれがある。
【発明の概要】
【０００４】
[0004]  上述の必要性および／または問題の一部またはすべては、本明細書に開示した小火器用照準器の特定の実施形態によって解決することができる。一実施形態では、小火器用照準器は、本体アセンブリと、本体アセンブリに動作可能に取り付けられた第１プレートアセンブリと、第１プレートアセンブリと反対側に、本体アセンブリに動作可能に取り付けられた第２プレートアセンブリと、を含み得る。照準アセンブリは、第１プレートアセンブリと第２プレートアセンブリとの間の本体アセンブリに動作可能に取り付けられ得る。本体アセンブリは、ハウジングに動作可能に取り付けられ得る。展開機構が、第１プレートアセンブリ、第２プレートアセンブリ、および照準アセンブリを、閉位置から開位置まで展開するように動作可能であり得る。
【０００５】
[0005]  小火器用照準器の他の特徴および態様は、以下の図面および詳細な説明を考察すれば、当業者には明らかになるであろう。他のすべての特徴および態様、ならびに他のシステム、方法、およびアセンブリの実施形態は、この説明に含まれるものとし、また、添付の特許請求の範囲に収まるものとする。
【図面の簡単な説明】
【０００６】
[0006]  添付の図面を参照して詳細な説明を行う。同じ参照符号の使用は、同様または同一の要素を示し得る。図面に記載されたもの以外の要素および／または構成要素をさまざまな実施形態で使用することができるが、一部の要素および／または構成要素は、さまざまな実施形態において存在できない。図面の要素および／または構成要素は、必ずしも一定の縮尺で描かれていない。本開示を通じて、単数および複数の用語を文脈に応じて区別なく使用することができる。
【０００７】
【図１】[0007]  図１は、本開示の１つ以上の実施形態に係る小火器用照準器を概略的に示す。
【図２】[0008]  図２は、本開示の１つ以上の実施形態に係る小火器用照準器を概略的に示す。
【図３】[0009]  図３は、本開示の１つ以上の実施形態に係る小火器用照準器を概略的に示す。
【図４】[0010]  図４は、本開示の１つ以上の実施形態に係る小火器用照準器を概略的に示す。
【図５】[0011]  図５は、本開示の１つ以上の実施形態に係る小火器用照準器を概略的に示す。
【図６】[0012]  図６は、本開示の１つ以上の実施形態に係る小火器用照準器を概略的に示す。
【図７】[0013]  図７は、本開示の１つ以上の実施形態に係る小火器用照準器を概略的に示す。
【図８】[0014]  図８は、本開示の１つ以上の実施形態に係る小火器用照準器を概略的に示す。
【図９】[0015]  図９は、本開示の１つ以上の実施形態に係る小火器用照準器を概略的に示す。
【図１０】[0016]  図１０は、本開示の１つ以上の実施形態に係る小火器用照準器を提供するための例示的な方法を示すフローチャートである。
【発明を実施するための形態】
【０００８】
概要
[0017]  以下に説明するのは、小火器に取り付けることができる小火器用照準器（および小火器用照準器の個別の構成要素）の実施形態である。小火器用照準器を製造、搭載、および／または使用する方法も開示されている。場合によっては、小火器用照準器は、小火器用１次照準器として機能してもよい。小火器は、従来の小火器であり得る。例えば、小火器は拳銃であり得る。場合によっては、小火器は、小銃、特に、Ｍ−１６型小銃、ＡＲ−１５型小銃、ＡＲ−１０型小銃、またはＭ−４型小銃であってもよい。他の場合には、小火器は散弾銃であってもよい。本明細書に開示する小火器用照準器との関連において、任意の小火器が使用され得る。
【０００９】
[0018]  小火器用照準器の特定の実施形態は、改善された制御および安定性という技術効果および／または解決策を提供することができ、改善された小火器精度および性能がもたらされる。さらに、小火器用照準器は、改善された機動性および／または構成可能性という技術効果および／または解決策を提供することができる。例えば、小火器用照準器は、比較的容易に格納および展開され得る。他の技術効果および／または解決策が、本開示を通じて明らかになるであろう。
【００１０】
[0019]  一般に、小火器用照準器は、本体アセンブリを含み得る。本体アセンブリは、小火器用照準器の１つ以上の構成要素を収容し得る。例えば、本体アセンブリは、特に光源と電源とを含み得る。
【００１１】
[0020]  本体アセンブリは、小火器に取り付けられ得る。例えば、装着ブラケットアセンブリを使用して本体アセンブリを小火器に装着し得る。特定の実施形態において、装着ブラケットアセンブリおよび本体アセンブリは、別々の構成要素であり得る。他の場合には、装着ブラケットアセンブリおよび本体アセンブリは、一体をなしてもよい。場合によっては、本体アセンブリは、拳銃のスライドに直接的または間接的に装着されてもよい。本体アセンブリは、小火器のレールまたは取付け部に取り付けられ得る。
【００１２】
[0021]  小火器用照準器は、本体アセンブリに動作可能に取り付けられた第１プレートアセンブリを含み得る。さらに、第２プレートアセンブリが、第１プレートアセンブリの反対側に、本体アセンブリに動作可能に取り付けられ得る。例えば、第１プレートアセンブリおよび第２プレートアセンブリは、本体アセンブリの対向する横側部に動作可能に取り付けられ得る。場合によっては、第１プレートアセンブリおよび第２プレートアセンブリは、本体アセンブリに関して回転可能であってもよい。例えば、第１プレートアセンブリおよび第２プレートアセンブリは、ヒンジなどを介して本体アセンブリに取り付けられ得る。場合によっては、第１プレートアセンブリおよび第２プレートアセンブリは、省略されてもよい。
【００１３】
[0022]  照準アセンブリが、第１プレートアセンブリと第２プレートアセンブリとの間の本体アセンブリに動作可能に取り付けられ得る。例えば、照準アセンブリは、第１プレートアセンブリと第２プレートアセンブリとの間の本体アセンブリの前方部分または後方部分に動作可能に取り付けられ得る。場合によっては、照準アセンブリは、本体アセンブリに関して回転可能であってもよい。例えば、小火器用照準器は、ヒンジなどを介して本体アセンブリに取り付けられ得る。
【００１４】
[0023]  場合によっては、照準アセンブリは、照準アセンブリフレームと、照準アセンブリフレームに関して位置決めされた反射レンズと、反射レンズに表示された照準表示と、を含んでもよい。このように、照準アセンブリフレームは、本体アセンブリに回転可能に取り付けられ得る。また、光源は、反射レンズ上の照準表示を表示し得る。場合によっては、照準表示は、照準アセンブリに関して調整可能であってもよい。
【００１５】
[0024]  小火器用照準器は、第１プレートアセンブリ、第２プレートアセンブリ、および照準アセンブリを、閉位置から開位置まで展開するように動作可能な展開機構を含み得る。場合によっては、展開機構は、ばねなどであってもよい。特定の実施形態において、第１プレートアセンブリ、第２プレートアセンブリ、および照準アセンブリは、閉位置で実質的に水平な方向を含み得る。第１プレートアセンブリ、第２プレートアセンブリ、および照準アセンブリは、格納される際に閉位置にあり得る。逆に、第１プレートアセンブリ、第２プレートアセンブリ、および照準アセンブリは、開位置で実質的に垂直な方向を含み得る。第１プレートアセンブリ、第２プレートアセンブリ、および照準アセンブリは、小火器を照準する際に開位置にあり得る。
【００１６】
[0025]  ラッチアセンブリが、本体アセンブリに動作可能に取り付けられ得る。場合によっては、ラッチアセンブリは、閉位置で第１プレートアセンブリ、第２プレートアセンブリ、および照準アセンブリを維持するように構成されてもよい。例えば、ラッチアセンブリは、閉位置で、照準アセンブリに対して少なくとも部分的に折り畳まれた第１プレートアセンブリおよび第２プレートアセンブリを維持し得る。さらに、ラッチアセンブリは、閉位置で、互いに対して少なくとも部分的に折り畳まれた第１プレートアセンブリおよび第２プレートアセンブリを維持し得る。ラッチアセンブリの操作は、展開機構と協働して、第１プレートアセンブリ、第２プレートアセンブリ、および照準アセンブリを開位置まで展開し得る。
【００１７】
[0026]  本開示のこれらの実施形態および他の実施形態を、以降に続く本開示の詳細な説明において、添付の図面を参照することでより詳細に説明する。項の見出しおよび対応する概略を含むこの簡潔な導入は、読み手の便宜のために提供され、この導入は、特許請求の範囲または以下の項を限定することを意図するものではない。さらに、上記および下記の技術は、多数の方法で、そして多数の状況で実施することができる。以下により詳細に述べるとおり、図面を参照していくつかの例示的な実施および状況が提供される。ただし、以下の実施および状況は、多くのうちのいくつかである。
【００１８】
例示的な実施形態
[0027]  図１〜図９は、本開示の１つ以上の実施形態に従って、小火器に取り付けることができる小火器用照準器１００（および小火器用照準器１００の個別の構成要素）のさまざまな実施形態を概略的に示している。小火器は、従来の小火器であり得る。場合によっては、小火器は拳銃であってもよい。他の場合には、小火器は小銃であってもよい。例として、小火器は、Ｍ−１６型小銃、ＡＲ−１５型小銃、ＡＲ−１０型小銃、またはＭ−４型小銃などの任意の数の小火器であり得るが、それらに限定されない。場合によっては、小火器は散弾銃であってもよい。本明細書において、任意の小火器が使用され得る。場合によっては、小火器は、小火器用照準器１００を取り付けるための、レール、溝、またはチャネルなどの取付け部を含んでもよい。
【００１９】
[0028]  特定の実施形態において、小火器用照準器１００は、本体アセンブリ１０２を含み得る。本体アセンブリ１０２は、小火器用照準器１００の１つ以上の構成要素を収納し得る。例えば、本体アセンブリ１０２は、特に光源と電源とを含み得る。光源および電源は、本体アセンブリ１０２内に少なくとも部分的に収納され得る。任意の光学システムが本体アセンブリ１０２内に収納され得る。場合によっては、電源は、バッテリーであってもよい。本体アセンブリ１０２は、電源および光源を作動させるためのオン／オフスイッチ１０４を含み得る。場合によっては、小火器を把持しているユーザの親指によって、オン／オフスイッチ１０４を入れてもよい。
【００２０】
[0029]  本体アセンブリ１０２は、小火器１０６に取り付けられ得る。例えば、装着ブラケットアセンブリ１０８を使用して本体アセンブリ１０２を小火器１０６に装着し得る。場合によっては、本体アセンブリ１０２は、拳銃１１２のスライド１１０に装着されてもよい。特定の実施形態において、スライド１１０は、装着ブラケットアセンブリ１０８と少なくとも部分的にかみ合うように構成されたチャネル１１４を含み得る。１つ以上のファスナ１１６を使用して、本体アセンブリ１０２および装着ブラケットアセンブリ１０８を拳銃１１２のスライド１１０に固定し得る。場合によっては、スライド１１０の側面と対応するように、本体アセンブリ１０２の底面１１８の輪郭が形成されてもよい。特定の実施形態において、装着ブラケットアセンブリ１０８は省略され得る。
【００２１】
[0030]  特定の実施形態において、小火器用照準器１００は、本体アセンブリ１０２に動作可能に取り付けられた第１プレートアセンブリ１２０を含み得る。さらに、第２プレートアセンブリ１２２が、第１プレートアセンブリ１２０の反対側に、本体アセンブリ１０２に動作可能に取り付けられ得る。例えば、第１プレートアセンブリ１２０および第２プレートアセンブリ１２２は、本体アセンブリ１０２の対向する横側部に動作可能に取り付けられ得る。場合によっては、第１プレートアセンブリ１２０および第２プレートアセンブリ１２２は、省略されてもよい。
【００２２】
[0031]  場合によっては、第１プレートアセンブリ１２０および第２プレートアセンブリ１２２は、本体アセンブリ１０２に関して回転可能であってもよい。例えば、第１プレートアセンブリ１２０および第２プレートアセンブリ１２２は、ヒンジ１２４を介して本体アセンブリ１０２に取り付けられ得る。ヒンジ１２４は、本体アセンブリ１０２においてスロット１２６の対を含み得る。スロット１２６は、スロット１２６を通る開口１２８を含み得る。さらに、ヒンジ１２４は、第１プレートアセンブリ１２０および第２プレートアセンブリ１２２から延在する、対応する突起部１３０の対を含み得る。突起部１３０は、開口１３１を含み得る。このように、突起部１３０は、対応するスロット１２６とかみ合い得る。ピン１３２がスロット１２６の開口１２８内に、かつ突起部１３０の開口１３１内に位置決めされて、第１プレートアセンブリ１２０および第２プレートアセンブリ１２２を本体アセンブリ１０２に回転可能に固定し得る。本明細書において、任意の数の回転可能な構成が使用され得る。
【００２３】
[0032]  照準アセンブリ１３４が、第１プレートアセンブリ１２０と第２プレートアセンブリ１２２との間の本体アセンブリ１０２に動作可能に取り付けられ得る。例えば、照準アセンブリ１３４は、第１プレートアセンブリ１２０と第２プレートアセンブリ１２２との間の本体アセンブリ１０２の前方部分１３６に動作可能に取り付けられ得る。
【００２４】
[0033]  場合によっては、照準アセンブリ１３４は、本体アセンブリ１０２に関して回転可能であってもよい。例えば、照準アセンブリ１３４は、ヒンジ１３８を介して本体アセンブリ１０２に取り付けられ得る。ヒンジ１３８は、本体アセンブリ１０２から延在する突起部１４０の対を含み得る。突起部１４０の各々は、当該突起部１４０を通る開口１４２を含み得る。さらに、ヒンジ１３８は、照準アセンブリ１３４において、対応する開口１４４の対を含み得る。このように、突起部１４０の開口１４２は、照準アセンブリ１３４の開口１４４と位置合わせされ得る。ピン１４６（またはねじ）が、突起部１４０の開口１４２内に、かつ照準アセンブリ１３４の開口１４４内に位置決めされて、照準アセンブリ１３４を本体アセンブリ１０２に回転可能に固定し得る。本明細書において、任意の数の回転可能な構成が使用され得る。
【００２５】
[0034]  場合によっては、照準アセンブリ１３４は、照準アセンブリフレーム１４８を含んでもよい。照準アセンブリフレーム１４８は、上述した開口１４４を含み得る。照準アセンブリ１３４は、照準アセンブリフレーム１４８に関して位置決めされた反射レンズ１５０も含み得る。反射レンズ１５０は、任意の好適な材料であってよい。例えば、場合によっては、反射レンズ１５０は、少なくとも部分的に透明であってもよく、ある程度の反射性を有する表面を含んでもよい。反射レンズ１５０の特性は、さまざまであり得る。照準表示１５２が、反射レンズ１５０上に表示され得る。例えば、本体アセンブリ１０２内の光源は、照準表示１５２を反射レンズ１５０上に投影し得る。場合によっては、照準表示１５２は、レッドドットなどであってもよい。照準アセンブリフレーム１４８は、本体アセンブリ１０２に回転可能に取り付けられ得る。また、光源は、反射レンズ１５０上に照準表示１５２を表示し得る。
【００２６】
[0035]  場合によっては、照準表示１５２は、反射レンズ１５０に関して調整可能であってもよい。例えば、ユーザは、反射レンズ１５０に関して照準表示１５２の位置を調整することによって、小火器用照準器１００を較正することができる。場合によっては、ユーザは、ノブ１５４を操作することによって反射レンズ１５０に関して照準表示１５２を上下に調整してもよい。例えば、ノブ１５４は、光源を上下に調整するように光源と連通し得る。他の場合には、ユーザは、ノブ１５６を操作することによって反射レンズ１５０に関して照準表示１５２を左右に調整してもよい。例えば、ノブ１５６は、光源を左右に調整するように光源と連通し得る。場合によっては、ノブ１５４およびノブ１５６は、マイナスドライバなどの工具を使用して調整されてもよい。
【００２７】
[0036]  光源は、発光ダイオード、トリチウム光源、または他の任意の好適な光を含み得る。光源は、光の一定の供給源を提供することができ、あるいは、光源は、小火器用照準器１００が開位置または閉位置にある時に応じて、オンとオフとの間で切り換えられ得る。光源の出力または輝度は、自動的に、または手動で調整され得る。場合によっては、光源は、照準アセンブリ１３４と反対側に、本体アセンブリ１０２に関して配置されてもよい。
【００２８】
[0037]  小火器用照準器１００は、第１プレートアセンブリ１２０、第２プレートアセンブリ１２２、および照準アセンブリ１３４を、閉位置（図２に示す）から開位置（図１に示す）まで展開するように動作可能な展開機構１５８を含み得る。場合によっては、展開機構１５８は、ばねなどであってもよい。例えば、展開機構１５８は、コイルばね１６０であり得る。コイルばね１６０は、照準アセンブリ１３４および本体アセンブリ１０２に関して位置決めされ得る。コイルばね１６０は、開位置で照準アセンブリ１３４を付勢し得る。
【００２９】
[0038]  特定の実施形態において、第１プレートアセンブリ１２０、第２プレートアセンブリ１２２、および照準アセンブリ１３４は、閉位置で実質的に水平な方向を含み得る。小火器用照準器１００を格納する際に、第１プレートアセンブリ１２０、第２プレートアセンブリ１２２、および照準アセンブリ１３４は、閉位置にあり得る。逆に、第１プレートアセンブリ１２０、第２プレートアセンブリ１２２、および照準アセンブリ１３４は、開位置で実質的に垂直な方向を含み得る。例えば、第１プレートアセンブリ１２０および第２プレートアセンブリ１２２は、開位置で互いに平行であり得る。また、開位置で、照準アセンブリ１３４は、第１プレートアセンブリ１２０および第２プレートアセンブリ１２２に対して直角をなし得る。第１プレートアセンブリ１２０、第２プレートアセンブリ１２２、および照準アセンブリ１３４は、小火器を照準する際に開位置にあり得る。使用中、コイルばね１６０が照準アセンブリ１３４を閉位置から開位置まで移動させると、第１プレートアセンブリ１２０および第２プレートアセンブリ１２２の少なくとも一部は、照準アセンブリ１３４に係合し、それによって第１プレートアセンブリ１２０および第２プレートアセンブリ１２２は、閉位置から開位置まで移動し得る。
【００３０】
[0039]  場合によっては、第１プレートアセンブリ１２０および第２プレートアセンブリ１２２は、開位置で照準アセンブリ１３４のための安定サポートを提供してもよい。小火器用照準器１００は、照準アセンブリ１３４を垂直位置から水平位置まで回転させ、そして照準アセンブリ１３４に対して第１プレートアセンブリ１２０および第２プレートアセンブリ１２２を折り畳むことによって閉位置まで移動し得る。
【００３１】
[0040]  ラッチアセンブリ１６２が、本体アセンブリ１０２に動作可能に取り付けられ得る。場合によっては、ラッチアセンブリ１６２は、閉位置で第１プレートアセンブリ１２０、第２プレートアセンブリ１２２、および照準アセンブリ１３４を維持するように構成されてもよい。例えば、ラッチアセンブリ１６２は、第１プレートアセンブリ１２０および第２プレートアセンブリ１２２の少なくとも一部と係合し得る摺動リップ１６４を含み得る。摺動リップ１６４は、本体アセンブリ１０２においてスロット１６８とかみ合うように構成された突出部１６６を含み得る。ラッチアセンブリ１６２は、閉位置で、第１プレートアセンブリ１２０および第２プレートアセンブリ１２２を照準アセンブリ１３４に対する折り畳み構成に維持し得る。さらに、ラッチアセンブリ１６２は、閉位置で、互いに対して少なくとも部分的に折り畳まれた第１プレートアセンブリ１２０および第２プレートアセンブリ１２２を維持し得る。使用中、ラッチアセンブリ１６２の操作は、展開機構１５８と協働して、本第１プレートアセンブリ１２０、第２プレートアセンブリ１２２、および照準アセンブリ１３４を開位置まで展開し得る。場合によっては、小火器１０６を把持しているユーザの親指によって、ラッチアセンブリ１６２の係合を行ってもよい。このように、小火器用照準器１００は、開位置まで展開され得る。また、電源は、１つの動作でオン／オフスイッチ１０４を介して作動し得る。
【００３２】
[0041]  上述のとおり、特定の実施形態において、第１プレートアセンブリ１２０および第２プレートアセンブリ１２２は、省略され得る。例えば、図８および図９に示すとおり、小火器用照準器１００は、照準アセンブリ１３４を含み得る。ただし、第１プレートアセンブリ１２０および第２プレートアセンブリ１２２は省略される。さらに、ラッチアセンブリ１６２は、省略され得る。このように、照準アセンブリ１３４は、展開機構１５８を介して閉位置と開位置との間を移動し得る。場合によっては、安定装置／ラッチアセンブリ１６６が、展開機構１５８と協働して、閉位置および開位置で照準アセンブリ１３４を維持してもよい。
【００３３】
例示的な方法
[0042]  図１０は、本開示の１つ以上の実施形態に従って図１〜図９に示す小火器用照準器１００を提供する例示的な方法２００を示すフローチャートである。特定の実施形態において、小火器用照準器１００は、改善された機動性および構成可能性を提供し得る。例えば、小火器用照準器１００は、関連するケーシングに対して格納および展開され得る。
【００３４】
[0043]  方法２００のブロック２０２において、小火器用照準器１００は、小火器に取り付けられ得る。例えば、装着ブラケットアセンブリ１０８を使用して本体アセンブリ１０２を小火器１０６に装着し得る。場合によっては、本体アセンブリ１０２は、拳銃１１２のスライド１１０に装着されてもよい。特定の実施形態において、スライド１１０は、装着ブラケットアセンブリ１０８と少なくとも部分的にかみ合うように構成されたチャネル１１４を含み得る。１つ以上のファスナ１１６を使用して、本体アセンブリ１０２および装着ブラケットアセンブリ１０８を拳銃１１２のスライド１１０に固定し得る。場合によっては、スライド１１０の側面と対応するように、本体アセンブリ１０２の底面１１８の輪郭が形成されてもよい。特定の実施形態において、装着ブラケットアセンブリ１０８は省略され得る。
【００３５】
[0044]  小火器用照準器１００は、方法２００のブロック２０４において、開位置まで展開され得る。例えば、ユーザは、ラッチアセンブリ１６２の摺動リップ１６４を操作して、第１プレートアセンブリ１２０および／または第２プレートアセンブリ１２２の少なくとも一部の係合を解除し得る。ラッチアセンブリ１６２の係合が解除されると、展開機構１５８は、照準アセンブリ１３４を閉位置から開位置まで付勢し得る。結果として、照準アセンブリ１３４は、第１プレートアセンブリ１２０および／または第２プレートアセンブリ１２２の少なくとも一部に係合し、それによって第１プレートアセンブリ１２０および第２プレートアセンブリ１２２は、閉位置から開位置まで移動し得る。開位置になると、光源は、照準表示１５２を反射レンズ１５０上に反射し得る。
【００３６】
[0045]  方法２００のブロック２０６において、小火器用照準器１００は、閉位置まで後退し得る。例えば、照準アセンブリ１３４は、本体アセンブリ１０２に関して閉位置まで回転され得る。次に、第１プレートアセンブリ１２０および第２プレートアセンブリ１２２は、本体アセンブリ１０２に関して開位置から閉位置まで回転され得る。ラッチアセンブリ１６２の摺動リップ１６４は、第１プレートアセンブリ１２０および／または第２プレートアセンブリ１２２の少なくとも一部に係合して、閉位置で小火器用照準器１００を維持し得る。場合によっては、第１プレートアセンブリ１２０および第２プレートアセンブリ１２２の少なくとも一部は、閉位置で重なり得る。
【００３７】
[0046]  方法２００のブロック２０２〜２０６に記載の動作は、任意の順序で実行することができる。さらに、特定の動作を省略してよく、一方で他の動作を加えてよい。
【００３８】
[0047]  本開示の具体的な実施形態を説明してきたが、多数の他の変更および代替の実施形態が本開示の範囲に収まる。例えば、特定の装置または構成要素に関して説明した機能のいずれも、別の装置または構成要素によって実行され得る。さらに、具体的な装置特性を説明してきた一方で、本開示の実施形態は、多数の他の装置特性に関連し得る。さらに、構造的特徴および／または方法論的動作に特有の表現で実施形態を説明してきたが、本開示は、説明した特定の特徴または動作に必ずしも限定されないことが理解されるべきである。むしろ、特定の特徴および動作は、実施形態を実施する例示的な形態として開示されている。「できる(can)」、「できる(could)」、「してもよい(might)」、または「してもよい(may)」などの条件を表す表現は、通常、別段の指定がない限り、または使用される文脈において他の意味に理解されない限り、特定の実施形態が特定の特徴、要素、および／または動作を含む一方で、他の実施形態はそれらを含まないことを示すものとする。したがって、そのような条件を表す表現は、通常、特徴、要素、および／または動作が１つ以上の実施形態においていかなる形でも必要とされることを示唆しないものとする。
【図１】
2016502642.tif 000003
【図２】
2016502642.tif 000004
【図３】
2016502642.tif 000005
【図４】
2016502642.tif 000006
【図５】
2016502642.tif 000007
【図６】
2016502642.tif 000008
【図７】
2016502642.tif 000009
【図８】
2016502642.tif 000010
【図９】
2016502642.tif 000011
【図１０】
2016502642.tif 000012
【国際調査報告】
2016502642.tif 000013
2016502642.tif 000014